(57)【特許請求の範囲】
【請求項１】
隣り合う外周養生ユニット間の隙間を埋める継手養生体であって、
少なくとも前記隙間以上の幅を有する全体としてパネル状の養生本体と、
該養生本体の幅方向両側に設けられ、前記隣り合う外周養生ユニットの一方と他方の側端部にそれぞれ着脱可能な第１クランプ及び第２クランプと、を備え、
前記第１クランプは、前記養生本体に対して鉛直軸心を中心に回転可能に取り付けられた回転プレートに、該回転プレートの幅方向に移動自在に取り付けられている、ことを特徴とする継手養生体。
【請求項２】
前記第２クランプは、前記養生本体に対して鉛直軸心を中心に回転可能に取り付けられている、請求項１に記載の継手養生体。
【請求項３】
前記第２クランプは、前記養生本体の幅方向に位置調整可能である、請求項１又は２に記載の継手養生体。
【請求項４】
前記養生本体は、前記第１クランプと前記第２クランプの前記養生本体に対する上下方向の取付け位置を調節可能な構成を有する、請求項１乃至３のいずれか１項に記載の継手養生体。
【発明の詳細な説明】
【技術分野】
【０００１】
本発明は、隣り合う外周養生ユニット間の隙間を埋める継手養生体に関する。
【背景技術】
【０００２】
建設現場においては、建設中の建設物の外側に、フレームにネットを張った外周養生体を設け、建設現場外への落下物の発生を防止している。
図６（Ａ）に示すように、外周養生体２は、建設物１の外周に沿って同じ高さに並べられた複数の外周養生ユニット３からなる。外周養生ユニット３は、複数の縦部材５と複数の横部材６が格子状に配列されて連結された養生フレーム４と、養生フレーム４のほぼ全面に張り付けられた養生ネット（メッシュ又は網）７からなり、図示しない支持手段によって建設物に対して固定されることで設置されている。
【０００３】
また隣り合う養生フレーム３の一方の養生ネット７は他方側への延長部７ａを有している。図６に示した養生ネット７においては、養生フレーム４よりも右側に張り出す形で延長部７ａが設けられている。そして、この延長部７ａを他方の外周養生ユニット３の側端部の縦部材５に紐材（図示せず）でくくり付けることで、隣り合う外周養生ユニット３，３間に隙間が形成されないようにしている。上記の紐材は高さ方向の複数個所に設けられている。
なお、従来の外周養生体を開示するものとしては、例えば下記特許文献１がある。
【０００４】
【特許文献１】特開２００４−９２１７６号公報
【発明の開示】
【発明が解決しようとする課題】
【０００５】
このような外周養生体２は、建設物１の作業状況に応じて上下方向に盛り替えられるが、外周養生体２の全体を一度に上下に移動させることは困難であるため、通常、各外周養生ユニット３を一つずつ目的の高さに順次移動させることで、外周養生体２の盛り替えが行なわれる。図６（Ｂ）は、外周養生体の盛り替え中の様子を示している。
【０００６】
外周養生体２の盛り替えにおいて、隣り合う外周養生ユニット３，３同士が延長部７ａで連結した状態では、一方の外周養生ユニット３のみを移動させることができないため、紐材を一旦すべてほどいて一方の外周養生ユニット３の延長部７ａを他方の外周養生ユニット３から外す必要がある。また、隣り合う外周養生ユニット３，３を同じ高さに移動させた後、延長部７ａで隙間を埋めるために、再びすべての紐材を他方の外周養生ユニット３にくくりつける必要がある。したがって、従来の外周養生体２では盛り替え作業が非常に面倒であり時間がかかるという問題がある。
【０００７】
本発明は上記の問題に鑑みてなされたものであり、隣り合う外周養生ユニット間への設置及び取り外しを短時間で簡単に行うことができる継手養生体を提供することを課題とする。
【課題を解決するための手段】
【０００８】
上記の課題を解決するため、本発明の継手養生体は、以下の技術的手段を採用する。
（１）本発明は、隣り合う外周養生ユニット間の隙間を埋める継手養生体であって、少なくとも前記隙間以上の幅を有する全体としてパネル状の養生本体と、該養生本体の幅方向両側に設けられ、前記隣り合う外周養生ユニットの一方と他方の側端部にそれぞれ着脱可能な第１クランプ及び第２クランプと、を備え、前記第１クランプは、前記養生本体に対して鉛直軸心を中心に回転可能に取り付けられた回転プレートに、該回転プレートの幅方向に移動自在に取り付けられている、ことを特徴とする。
【０００９】
上記の本発明の構成によれば、外周養生ユニットに対する固定手段が第１クランプ及び第２クランプで構成されているため、外周養生ユニットに対する着脱を短時間で簡単に行うことができる。
【００１０】
（２）また上記（１）の継手養生体において、前記第２クランプは、前記養生本体に対して鉛直軸心を中心に回転可能に取り付けられている。
【００１１】
上記の構成によれば、回転可能な方（両方である場合はいずれか一方）のクランプを一方の外周養生ユニットに連結したまま、他方のクランプの連結を解いて養生本体を回転させることができる。これにより、継手養生体をどちらかの外周養生ユニットに取り付けた状態で、外周養生ユニットを移動できる。
【００１２】
（３）また、上記（１）又は（２）の継手養生体において、前記第２クランプは、前記養生本体の幅方向に位置調整可能である。
【００１３】
上記の構成によれば、外周養生ユニット間の隙間の幅に応じて、クランプを幅方向に移動させて適切な位置に調整することができる。したがって、外周養生ユニット間の隙間の幅の変化に柔軟に対応できる。
【００１５】
上記（１）の継手養生体の構成によれば、外周養生ユニット間の隙間の幅に応じて、第１クランプを幅方向に移動させて適切な位置に調整することができるので、外周養生ユニット間の隙間の幅の変化に柔軟に対応できる。また、第１クランプが養生本体に対して回転可能かつ幅方向に移動可能であるので、養生本体と外周養生ユニット間の隙間を小さくすることができる。
【００１６】
（４）また、上記（１）乃至（３）の継手養生体において、前記養生本体は、前記第１クランプと前記第２クランプの前記養生本体に対する上下方向の取付け位置を調節可能な構成を有する。
【００１７】
上記の構成によれば、外周養生ユニットの側端部において、クランプを連結しようとする部位に例えば他の連結金具が取り付けられている場合に、養生本体に対するクランプの取付け高さを変えることで、上記の他の連結金具との干渉を回避することができる。
【発明の効果】
【００１８】
上述したように、本発明によれば、隣り合う外周養生ユニット間への設置及び取り外しを短時間で簡単に行うことができる。したがって、本発明の継手養生体を用いることにより、外周養生体の盛り替え作業を効率的に行うことができる。
【発明を実施するための最良の形態】
【００１９】
以下、本発明の好ましい実施形態を添付図面に基づいて詳細に説明する。なお、各図において共通する部分には同一の符号を付し、重複した説明を省略する。
【００２０】
図１は、本発明の実施形態にかかる継手養生体１０が取り付けられた状態の外周養生体２を示す図である。図１に示すように、外周養生体２は、建設物１の外周に沿って同じ高さに並べられた複数の外周養生ユニット３からなる。外周養生ユニット３は、複数の縦部材５と複数の横部材６が格子状に配列されて連結された養生フレーム４と、養生フレーム４のほぼ全面に張り付けられた養生ネット（メッシュ又は網）７からなり、図示しない支持手段によって建設物の水平部材１ａに対して固定されることで設置されている。この場合、養生フレーム４を水平部材１ａに固定する場合と、養生フレーム４をユニット化した枠組み足場に固定し、当該枠組み足場を水平部材１ａに固定する場合がある。
【００２１】
各外周養生ユニット３の支持手段としては、例えば特開２００４−９２１７６号公報に示されたような、建設物の水平部材に固定されて外周養生ユニット３を支持するものを採用することができる。
【００２２】
各外周養生ユニット３は、支持手段による固定を解除することで、上下に移動できるようになっている。この上下の移動は、例えばクレーンによることができる。
本発明の継手養生体１０は、図１に示すように、隣り合う外周養生ユニット３間の隙間を埋めるために使用される。このため、隣り合う外周養生ユニット３，３間に配置されている。
図２は、本実施形態の継手養生体１０の構成を示す図であり、（Ａ）は正面図、（Ｂ）は側面図である。
【００２３】
図２に示すように、継手養生体１０は、全体としてパネル状の養生本体１１と、第１クランプ１８と、第２クランプ１９とを備える。
養生本体１１は、全体的にほぼ四角形のフレーム１２と、フレーム１２のほぼ全面に張られたネット（メッシュ又は網）とからなる。フレーム１２は、鉛直方向に延びる複数（図の構成例では２本）の縦フレーム部１３と、水平方向に延びる複数の横フレーム部１４とからなる。またフレーム１２は、少なくとも、隣り合う外周養生ユニット３，３間の隙間幅Ｗ（図３を参照）以上の幅を有する。
【００２４】
第１クランプ１８と第２クランプ１９は、養生本体１１の幅方向両側に設けられ、隣り合う外周養生ユニット３，３の一方と他方の側端部にそれぞれ着脱可能である。図２の構成例では、第１クランプ１８と第２クランプ１９は、それぞれ、養生本体１１の高さ方向の３箇所に設けられている。
【００２５】
図３は、隣り合う外周養生ユニット３，３間に配置された状態の継手養生体１０を上方から見た図である。図３に示すように、第１クランプ１８と第２クランプ１９はいずれも、ヒンジ部２１を介して、養生本体１１に対して鉛直軸心を中心に回転可能に取り付けられている。また図３の構成例において、回転プレート２４がヒンジ部２１を介して養生本体１１に鉛直軸心を中心に回転自在に連結されており、この回転プレート２４に第１クランプ１８が取り付けられている。
【００２６】
また第１クランプ１８は、回転プレート２４の幅方向（水平方向）に移動自在に取り付けられている。図３の構成例では、回転プレート２４に水平方向に延びる長穴（図示せず）が形成されており、第１クランプ１８に連結したボルト２３が上記の長穴でガイドされることで、第１クランプ１８が図中の矢印Ａ方向にスライドできるようになっている。
【００２７】
図４は、養生本体１１におけるヒンジ部２１周辺の拡大図である。図４に示すように、クランプには垂直方向の貫通穴を有する連結部２０が設けられている。図４の構成例では、ヒンジ部２１は、縦フレーム部１３に高さ方向に間隔をおいて設けられた複数（この例では４つ）のヒンジ穴部材２２と、ヒンジ穴部材２２と第１クランプ１８及び第２クランプ１９の連結部２０に挿入される連結ピン２５とからなる。隣り合うヒンジ穴部材２２，２２間の各間隔は、第１クランプ１８及び第２クランプ１９の連結部２０が挿入できる大きさに設定されている。また図４の構成例では、連結ピン２５は、一つのヒンジ部２１におけるすべてのヒンジ穴部材２２に挿入できる長さを有している。
【００２８】
ヒンジ部２１は上記のように構成されているので、ヒンジ穴部材２２間の各間隔のいずれかに第１クランプ１８（第２クランプ１９）の連結部２０を挿入してから（丸付き数字１）、ヒンジ穴部材２２と連結部２０に連結ピン２５を挿入する（丸付き数字２）ことで、第１クランプ１８（第２クランプ１９）を養生本体１１に連結することができる。この場合、第１クランプ１８（第２クランプ１９）を連結する位置によって、養生本体１１に対する第１クランプ１８（第２クランプ１９）の取付け高さを変えることができる。
【００２９】
次に、上述した構成の継手養生体１０の使用方法について説明する。
図１に示すように、隣り合う外周養生ユニット３，３間の隙間を埋めるため、継手養生体１０を、隣り合う外周養生ユニット３，３間に設置する。具体的には、図３に示すように、第１クランプ１８を一方（継手養生体１０から見て左側）の外周養生ユニット３の右端部にある縦部材５に固定し、第２クランプ１９を他方（継手養生体１０から見て右側）の外周養生ユニット３の左端部にある縦部材５に固定する。このとき、第１クランプ１８を水平方向にスライドさせることで、外周養生ユニット３間の隙間幅Ｗに応じた適切な位置に第１クランプ１８の位置を調整することができる。
【００３０】
また第１クランプ１８と第２クランプ１９を外周養生ユニット３の縦部材５に固定する際に、第１クランプ１８と第２クランプ１９を連結しようとする部位に例えば他の連結金具が取り付けられている場合には、図４に示したヒンジ部２１の位置調整機能によって、養生本体１１に対する第１クランプ１８と第２クランプ１９の取付け高さを変えることで、上記の他の連結金具との干渉を回避することができる。
また、第１クランプ１８が養生本体１１に対して回転可能かつ幅方向に移動可能であるので、養生本体１１と外周養生ユニット３間の隙間を小さくすることができる。
【００３１】
外周養生体２の盛り替えを行うときは、第１クランプ１８と第２クランプ１９のいずれか一方を外周養生ユニット３の縦部材５から外して、固定されたままのクランプ側のヒンジ部２１を中心に養生本体１１を外側に回転させる。図３では、第１クランプ１８の固定を解除して、第２クランプ１９側のヒンジ部２１を中心に回転させた状態を破線で示している。
【００３２】
外周養生体２の盛り替えの際に固定を解除するのは、第１クランプ１８と第２クランプ１９のいずれでもよいが、第２クランプ１９の固定を解除して第１クランプ１８を固定した状態とすると、第１クランプ１８がスライド機能を有するために、養生本体１１が傾いて、その後に姿勢を鉛直に戻す手間が生じる可能性がある。したがって、盛り替えの際には図３に示すように、スライド機能を有する第１クランプ１８の固定を解除するのがよい。
【００３３】
図１（Ｂ）では、左側から順に外周養生ユニット３を移動させて外周養生体２の盛り替えを行う場合を示している。第１クランプ１８又は第２クランプ１９の固定を解除して隣り合う外周養生ユニット３同士の連結が解かれたら、左側の外周養生ユニット３を目的の高さに移動させる。このときの移動は、例えばクレーンで行うことができ、図１（Ｂ）では、左側の外周養生ユニット３がクレーンの吊り材９で吊られている状態を示している。
【００３４】
このように、第１クランプ１８と第２クランプ１９の一方を外周養生ユニット３に固定したまま、他方の固定を解いて養生本体１１を回転させることができるので、継手養生体１０をどちらかの外周養生ユニット３に取り付けた状態で、外周養生ユニット３を移動できる。
【００３５】
なお、外周養生ユニット３の昇降手段としては、クレーン以外にも、特開平１０−３３１４３１号公報に示されたような、ラック、ピニオン、ガイド及び駆動モータによって昇降駆動する機構を適用したものであってもよい。
【００３６】
以後、同様にして、残りのすべての外周養生ユニット３を同じ高さに移動させたら、固定が解除された第１クランプ１８又は第２クランプ１９を、外周養生ユニット３の縦部材に再固定して、外周養生ユニット３間の隙間を埋める。なお、すべての外周養生ユニット３が同じ高さに設置される前であっても、隣り合う外周養生ユニット３が同じ高さに移動されていれば、その外周養生ユニット３のペアについては、他の外周養生ユニット３の移動と併行して、継手養生体１０の第１クランプ１８又は第２クランプ１９の再固定作業を行ってもよい。
【００３７】
このように本発明の継手養生体１０によれば、外周養生ユニット３に対する固定手段が第１クランプ１８及び第２クランプ１９で構成されているため、外周養生ユニット３に対する着脱を短時間で簡単に行うことができる。
【００３８】
図５は、本発明の第２実施形態にかかる継手養生体１０の構成を示す図であり、（Ａ）は正面図、（Ｂ）は側面図である。本実施形態では、ネットとして目の粗い網１６が使用されている。この網１６は全体的に養生本体１１のフレーム１２とほぼ同じ大きさの四角形である。フレーム１２の左右両端部（縦フレーム部１３）の表側には、鉛直方向に貫通する挿通穴を有する固定部材２８が鉛直方向に複数個設けられており、その左右の固定部材２８の各々に細長い支持棒材２７が挿入されて図示しない固定ピンにより抜け止めされている。
【００３９】
左右の支持棒材２７は、それぞれ、網１６の左右両側端部の網目に通されており、これにより網１６が支持棒材２７に緩みや隙間などが少ない状態でしっかりと固定されている。網１６の取付けに際しては、網１６の側端部を縦フレーム部１３に沿わせて、支持棒材を固定部材２８に挿入していくとともに、網１６の側端部の網目に順次通していくことで、網１６の取付けを行うことができる。
その他の構成は、上述した第１実施形態と同様である。
【００４０】
本実施形態の構成によれば、目の粗い網１６をネットとして使用する場合でも、網１６をフレーム１２にしっかりと取り付けることができる。
【００４１】
なお、上述した第１及び第２の実施形態では、第１クランプ１８と第２クランプ１９の両方が養生本体１１に対して回転可能な構成であったが、いずれか一方のみが回転可能な構成であってもよい。
【００４２】
上記において、本発明の実施形態について説明を行ったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【図面の簡単な説明】
【００４３】
【図１】本発明の継手養生体が取り付けられた外周養生体を示す図である。
【図２】本発明の第１実施形態にかかる継手養生体の構成を示す図である。
【図３】隣り合う外周養生ユニット間に配置された状態の継手養生体を上方から見た図である。
【図４】本発明の第１実施形態にかかる養生本体におけるヒンジ部周辺の拡大図である。
【図５】本発明の第２実施形態にかかる継手養生体の構成を示す図である。
【図６】従来技術を説明する図である。
【符号の説明】
【００４４】
１  建設物
１ａ  水平部材
２  外周養生体
３  外周養生ユニット
４  養生フレーム
５  縦部材
６  横部材
７  養生ネット
７ａ  延長部
９  吊り材
１０  継手養生体
１１  養生本体
１２  フレーム
１３  縦フレーム部
１４  横フレーム部
１５  ネット
１６  網
１８  第１クランプ
１９  第２クランプ
２０  連結部
２１  ヒンジ部
２２  ヒンジ穴部材
２３  ボルト
２４  回転プレート
２５  連結ピン
２７  支持棒材
２８  固定部材
【図１】
0005164655.tif 000002
【図２】
0005164655.tif 000003
【図３】
0005164655.tif 000004
【図４】
0005164655.tif 000005
【図５】
0005164655.tif 000006
【図６】
0005164655.tif 000007